【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
生き物にとっての実環境内でその生き物のために１つの強調現実感（拡張現実感）を作り出すための装置において、該強調現実感（拡張現実感）が、実環境の少なくとも１部分と少なくとも１つの架空事象の両方を含み、該生き物が体験する前記強調現実感（拡張現実感）の特性が、実環境に対する該生き物又はその一部分の位置及び／又は向きに依存する装置であって、変換器及び、変換器の位置及び／又は向きについて及び実環境についての情報を用いて刺激を生成するために、生き物及び変換器の相対的位置及び／又は向きが制限された間隔の中にくるように配置されるような形で生き物と変換器を接続する手段を含む刺激生成部材、及び生成された刺激を生き物に転送し、これにより該生き物のための前記強調現実感（拡張現実感）を実現するためのユニットを含んで成り、変換器が実環境内の信号源からの入射光信号を受信し変換器との関係における受信信号の相対的入射方向を記録することによって実環境に対するその位置及び／又は向きを決定するように配置されていることを特徴とする生き物のための環境を作り出す装置。
【請求項２】
変換器及び転送ユニットと通信し、必要とされる刺激を計算し転送ユニットを制御するため、実環境について及び実現された強調現実感（拡張現実感）についての情報を提供するように配置されたコンピュータモデルを使用する、制御及び計算用ユニットを刺激生成部材が含むことを特徴とする請求項１に記載の生き物のための環境を作り出す装置。
【請求項３】
転送ユニットが、生き物の視覚器官を介して刺激を転送するための手段が含むことを特徴とする請求項１又は２に記載の生き物のための環境を作り出す装置。
【請求項４】
転送用手段が、生き物の視神経に直接インパルスを通して刺激を転送するように設計されていることを特徴とする請求項３に記載の生き物のための環境を作り出す装置。
【請求項５】
転送用手段が、生き物の単数又は複数の眼の中に直接画像を投射することにより刺激を転送するように設計されていることを特徴とする請求項３に記載の生き物のための環境を作り出す装置。
【請求項６】
転送ユニットが、生き物の聴覚器官を介して刺激を転送するための手段を含むことを特徴とする請求項１〜５のいずれか１項に記載の生き物のための環境を作り出す装置。
【請求項７】
転送用手段が、生き物の聴覚神経に直接インパルスを通して刺激を転送するように設計されていることを特徴とする請求項６に記載の生き物のための環境を作り出す装置。
【請求項８】
転送用手段が、生き物の頭がい骨又は聴覚器官の一部分を機械的に振動させることによって刺激を転送するように設計されていることを特徴とする請求項６に記載の生き物のための環境を作り出す装置。
【請求項９】
転送ユニットが、生き物の触覚器官を介して刺激を転送するための手段を含むことを特徴とする請求項１〜８のいずれか１項に記載の生き物のための環境を作り出す装置。
【請求項１０】
転送用手段が、生き物が熱を環境から吸収又は環境へ放出するように生き物に対し実環境の少なくとも一部分の温度を制御することによって刺激を転送するように設計されていることを特徴とする請求項９に記載の生き物のための環境を作り出す装置。
【請求項１１】
転送ユニットが、生き物の嗅覚器官を介して刺激を転送するための手段を含むことを特徴とする請求項１〜１０のいずれか１項に記載の生き物のための環境を作り出す装置。
【請求項１２】
転送ユニットが、生き物の味覚器官を介して刺激を転送するための手段を含むことを特徴とする請求項１〜１１のいずれか１項に記載の生き物のための環境を作り出す装置。
【請求項１３】
実環境が１以上の位置及び／又は方向に有する１以上の特性を記録又は測定することによって実環境からの情報を得るための獲得手段を含んでなることを特徴とする請求項１〜１２のいずれか１項に記載の生き物のための環境を作り出す装置。
【請求項１４】
獲得手段が、制御及び計算用ユニットと通信するように配置されていることを特徴とする請求項２又は１３に記載の生き物のための環境を作り出す装置。
【請求項１５】
獲得手段が、実環境に対して生き物の単数又は複数の眼が有する位置及び／又は向きを検出するために配置されていることを特徴とする請求項１３又は１４に記載の生き物のための環境を作り出す装置。
【請求項１６】
獲得手段が、実環境に対して生き物の単数又は複数の耳が有する位置及び／又は向きを検出するために配置されていることを特徴とする請求項１３、１４、又は１５に記載の生き物のための環境を作り出す装置。
【請求項１７】
獲得手段が、生き物の単数又は複数の眼の焦点合せを検出するために配置されていることを特徴とする請求項１３〜１６のいずれか１項に記載の生き物のための環境を作り出す装置。
【請求項１８】
獲得手段が、光を導入する生き物の単数又は複数の眼の開口部のサイズを検出するために配置されていることを特徴とする請求項１３〜１７のいずれか１項に記載の生き物のための環境を作り出す装置。
【請求項１９】
変換器が、変換器と実環境が相互に移動した場合に実環境に対するその位置及び／又は向きを反復的に決定するように配置されていることを特徴とする請求項１〜１８のいずれか１項に記載の生き物のための環境を作り出す装置。
【請求項２０】
変換器が、変換器と実環境が相互に移動した場合に任意の座標系内で実環境により機械的に誘導されず生き物により自由に移動可能となるように配置されていることを特徴とする請求項１〜１９のいずれか１項に記載の生き物のための環境を作り出す装置。
【請求項２１】
変換器（５）が、０．２ステラジアン（ｓｒ）を上回る立体角を構成し、かつ変換器が前記信号源（９）からの入射信号を受信するように配置されている信号受信方向の収集量によって形成されている信号受信方向エリアを伴って設計されていることを特徴とする請求項１〜２０のいずれか１項に記載の生き物のための環境を作り出す装置。
【請求項２２】
変換器（５）の信号受信方向エリアが、１ステラジアンを上回る立体角を構成することを特徴とする請求項２１に記載の生き物のための環境を作り出す装置。
【請求項２３】
変換器（５）の信号受信方向エリアが、２ステラジアンを上回る立体角を構成することを特徴とする請求項２１に記載の生き物のための環境を作り出す装置。
【請求項２４】
変換器（５）の信号受信方向エリアが、４ステラジアンを上回る立体角を構成することを特徴とする請求項２１に記載の生き物のための環境を作り出す装置。
【請求項２５】
変換器（５）の信号受信方向エリアが、位相的に接続されていることを特徴とする請求項２１〜２４のいずれか１項に記載の生き物のための環境を作り出す装置。
【請求項２６】
変換器（５）が、環境に対して少なくとも２つの自由度に関するその位置及び／又は向きを決定するように配置されていることを特徴とする請求項１〜２５のいずれか１項に記載の生き物のための環境を作り出す装置。
【請求項２７】
変換器（５）が、環境に対して少なくとも３つの自由度に関するその位置及び／又は向きを決定するように配置されていることを特徴とする請求項２６に記載の生き物のための環境を作り出す装置。
【請求項２８】
変換器（５）が、環境に対して少なくとも４つの自由度に関するその位置及び／又は向きを決定するように配置されていることを特徴とする請求項２７に記載の生き物のための環境を作り出す装置。
【請求項２９】
刺激生成部材に対し信号を転送し、これによりその機能を制御するため生き物が携帯できる部品を含むことを特徴とする請求項１〜２８のいずれか１項に記載の生き物のための環境を作り出す装置。
【請求項３０】
生き物の実環境に対して部品の移動のさせ方によって生き物のために実現された強調現実感（拡張現実感）内での１つの動作を達成するための機器を構成するように、携帯式部品が配置されていることを特徴とする請求項２９に記載の生き物のための環境を作り出す装置。
【請求項３１】
携帯式部品が、前記変換器又は、実環境に対してその位置及び／又は向きを決定するように配置されているさらなる変換器を含むことを特徴とする請求項２９又は３０のいずれか１項に記載の生き物のための環境を作り出す装置。
【請求項３２】
前記少なくとも１つの架空事象が、特別に定義された物理的法則に従うように設計されていることを特徴とする請求項１〜３１のいずれか１項に記載の生き物のための環境を作り出す装置。
【請求項３３】
変換器が、実環境に対して少なくとも２つの自由度に関するその位置及び／又は向きを決定するように配置されていることを特徴とする請求項１〜３２のいずれか１項に記載の生き物のための環境を作り出す装置。
【請求項３４】
変換器が、実環境に対して少なくとも３つの自由度に関するその位置及び／又は向きを決定するように配置されていることを特徴とする請求項１〜３３のいずれか１項に記載の生き物のための環境を作り出す装置。
【請求項３５】
変換器が、実環境に対して少なくとも４つの自由度に関するその位置及び／又は向きを決定するように配置されていることを特徴とする請求項１〜３４のいずれか１項に記載の生き物のための環境を作り出す装置。
【請求項３６】
インターネットのようなローカル及び／又はグローバルなネットワークに接続されていることを特徴とする請求項１〜３５のいずれか１項に記載の生き物のための環境を作り出す装置。
【請求項３７】
それぞれの装置を用いて、生き物にとっての実環境内でその生き物のために１つの強調現実感（拡張現実感）を作り出すためのネットワークに接続されている２つ以上の装置を含む配置において、前記強調現実感（拡張現実感）が、前記実環境の少なくとも１部分と少なくとも１つの架空事象の両方を含み、該生き物が体験する前記強調現実感（拡張現実感）の前記特性が、実環境に対して該生き物又はその一部分の位置及び／又は向きに依存する装置であって、それぞれの装置が、実環境内の信号源からの入射光信号を受信し変換器との関係における受信信号の相対的入射方向を記録することによって実環境に対してその位置及び／又は向きを決定するように配置された変換器及び、変換器の位置及び／又は向きについて及び実環境についての情報を用いて刺激を作り出すために、生き物及び変換器の相対的位置及び／又は向きが制限された間隔の中にくるように配置されるような形で生き物と変換器を接続する手段を含む刺激生成部材、及び生成された刺激を生き物に転送し、これにより該生き物のための前記強調現実感（拡張現実感）を実現するためのユニットを含んでなること、及び内部で生き物が体験した特性をそれぞれの生き物が影響をもたらす、生成された強調現実感（拡張現実感）に基づいた生き物に対して実現された最小共通強調現実感（拡張現実感）を確立するための手段を含むことを特徴とする生き物のための環境を作り出す装置。
【請求項３８】
生き物にとっての実環境内でその生き物のために強調現実感（拡張現実感）を作り出すための方法において、該強調現実感（拡張現実感）が、実環境の少なくとも１部分と少なくとも１つの架空事象の両方を含み、該生き物が体験する前記強調現実感（拡張現実感）の特性が、実環境に対する該生き物又はその一部分の位置及び／又は向きに依存する方法であって、生き物には、生き物及び変換器の相対的位置及び／又は向きが制限された間隔の中にくるように配置されるような形で生き物に接続されている変換器を含む刺激生成部材が具備され、該刺激は、変換器の位置及び／又は向きについて及び実環境についての情報を用いて生成され、生成された刺激は生き物に転送されて生き物のための前記強調現実感（拡張現実感）を実現し、実環境に対する変換器の位置及び／又は向きは、変換器が実環境内の信号源から入射光信号を受信し受信信号の相対的入射方向を記録することによって決定されることを特徴とする生き物のための環境を作り出す方法。